(57)【要約】各帯に少なくとも１ヵ所の穿孔部（４）があり、この穿孔部が少なくとも１ヵ所の相互接合位置で他の帯群（３）の穿孔部（４）とぴったり合う取り外し可能な帯群（３）の相互接合用の接合具。該接合具（１，１０，１６，２１，２６，３１，３６）には、少なくとも１本のピン（６，２０，２５，３０，３７）、および、少なくとも１本のピンに取付けられる少なくとも１ヶ所の留め金（５，８，９，１１，１４，１５，１７，＋，１９，２２，２３，２４，２７，２８，２９）が含まれ、少なくとも１ヶ所の留め金が該帯を取り囲むと同時に、これらの接合された状態にある少なくとも１本のピンが該帯の穿孔部とぴったり噛み合うとともに、該帯群は取り外し可能なように、少なくとも１本のピンと前記の少なくとも１ヶ所の留め金によってのみ相互接合される。本接合具は単純な構造であり、これにより、最初に帯を接合具に通さないでも、協働する穿孔部が相互にぴったりあう位置で、じかに２本以上の帯を容易かつ迅速に接合可能である。
2007506476.tif 000002
【特許請求の範囲】
【請求項１】
少なくとも１本のピン（６，２０， ２５，３０， ３７）に、少なくとも１ヶ所の留め金（５， ８， ９ ; １１， １４， １５ ; １７， １８， １９ ; ２２， ２３， ２４ ; ２７， ２８， ２９）に接続される茎部（６ａ， ２０ａ， ２５ａ， ３０ａ， ３７ａ）、および茎部の端部に１ヶ所の頭部（６ｂ， ２０ｂ， ２５ｂ， ３０ｂ， ３７ｂ）が含まれること、ならびに、前記少なくとも１ヶ所の留め金が帯部（３）を取り囲むと同時に、前記少なくとも１本のピンがこれらの接合された状態にある帯のぴったり合う少なくとも１ヶ所の穿孔部（４）と噛み合っており、これによって帯部が前記少なくとも１本のピンと前記少なくとも１ヶ所の留め金によってのみ取り外し可能に相互接合されることを特徴とする、前記少なくとも１本のピン、および、前記少なくとも１本のピンに取付けられる前記少なくとも１ヶ所の留め金が含まれ、各帯には少なくとも１ヶ所の相互接合位置で別の帯（３）の少なくとも１ヶ所の穿孔部（４）とぴったり合う前記少なくとも１ヶ所の穿孔部（４）がある複数の帯（３）を取り外し可能に相互接合するための接合具（１， １０， １６， ２１， ２６， ３１， ３６）。
【請求項２】
少なくとも１本のピン（６， ２０， ２５， ３０， ３７）の頭部（６ｂ， ２０ｂ， ２５ｂ， ３０ｂ， ３７ｂ）が少なくとも１ヵ所の穿孔部（４）の直径より大きな直径であることを特徴とする請求項１による接合具。
【請求項３】
茎部（６ａ， ２０ａ， ２５ａ， ３０ａ， ３７ａ）に少なくとも１ヶ所の延長部（６ｃ）。が含まれることを特徴とする請求項１あるいは請求項２による接合具。
【請求項４】
少なくとも１ヵ所の延長部（６ｃ）。が少なくとも１ヵ所の穿孔部（４）の直径より大きな直径であることを特徴とする請求項３による接合具。
【請求項５】
接合具（１， １０， １６， ２１， ２６， ３１， ３６）に第１および第２辺が含まれ、各辺には少なくとも１本のピン（６， ２０， ２５， ３０， ３７）および少なくとも１本のピンに取付けられる少なくとも１ヶ所の留め金（５， ８， ９; １１， １４， １５; １７， １８， １９ ; ２２， ２３， ２４ ; ２７， ２８， ２９）が含まれることを特徴とする請求項１から請求項４までのいずれかによる接合具。
【請求項６】
少なくとも１ヶ所の留め金に少なくとも１本のピン（６， ２０， ２５， ３０， ３７）に取付けられる少なくとも１ヶ所の第１留め金部（５， １１， １７， ２２， ２７）があり、第２留め金部 （８， １４， １８， ２３， ２８）が第１留め金部まで主として交差して延びるとともに、第３留め金部分（９， １５， １９， ２４， ２９）が第１留め金部の面と主として平行な面内に延びることを特徴とする請求項１から請求項５までのいずれかによる接合具。
【請求項７】
少なくとも１本のピン（６， ２０， ２５， ３０， ３７）の軸から第２留め金部（８， １４， １８， ２３， ２８）までの距離が帯（３）の幅のほぼ半分であることを特徴とする請求項１から請求項６までのいずれかによる接合具。
【請求項８】
少なくとも１本のピン（６， ２０， ２５， ３０， ３７）の軸から第２留め金部（８， １４， １８， ２３， ２８）までの距離が帯（３）の幅の半分より長いことを特徴とする請求項１から請求項６までのいずれかによる接合具。
【請求項９】
少なくとも１本のピン（６， ２０， ２５， ３０， ３７）の軸から第２留め金部（８， １４， １８， ２３， ２８）までの距離が帯（３）の幅の半分未満であることを特徴とする請求項１から請求項６までのいずれかによる接合具。
【請求項１０】
第１留め金部（５， １１， １７， ２２， ２７）および第３留め金部（９， １５， １９， ２４， ２９）が相互に角度をなすことを特徴とする請求項１から請求項９までのいずれかによる接合具。
【請求項１１】
角度が０度に等しいかあるいは０度より大きいことを特徴とする請求項１０による接合具。
【請求項１２】
接合具（２１）にピン（２５）の各辺で延びる２ヶ所の留め金（２２， ２３， ２４）があることを特徴とする請求項１から請求項１１までのいずれかによる接合具。
【請求項１３】
接合具（２６）に４ヶ所の留め金（２７， ２８， ２９）があることならびに
その第１留め金部（２７）が相互に９０度の角度をなすことを特徴とする請求項１から請求項１１までのいずれかによる接合具。
【請求項１４】
少なくとも１ヶ所の留め金が、例えば１本のネジくぎ継手（３３）付きの少なくとも１本のピン（６， ２０， ２５， ３０， ３７）に取付けられていることを特徴とする請求項１から請求項１３までのいずれかによる接合具。
【発明の詳細な説明】
【技術分野】
【０００１】
本発明は、少なくとも１ヵ所の相互接合位置で、他の帯群の少なくとも１ヵ所の穿孔部とぴったり合う少なくとも１ヵ所の穿孔部がある取り外し可能に帯群を相互接合する接合具に関するもので、本接合具には、少なくとも１本のピンと、少なくとも１本のピンに取付けられる少なくとも１ヶ所の留め金が含まれる。通常の取り外し可能な帯群の相互接合用の接合具には、２ヵ所の端部部分の締結用バックル、例えば、穿孔ベルトあるいは腕時計バンドがある。この種のバックルには今まで極めて多様な構造が利用あるいは提案されてきた。
【背景技術】
【０００２】
単純かつもっとも一般に利用されているバックルは、主として１個の枠組と該枠組みの一辺上で回転するように取付けられるピンからなる。ベルトあるいは帯の一端部分が自由である間は、その他端部分は該枠組の同じ辺に固定される。
【０００３】
例えば、ベルト上でバックルが締められる場合、自由端部分の長さ分が枠組の開口部を通過する。固定ピンの端部部分はその後ベルトの穿孔部に挿入される。しかしながら、この操作は、ピンが固定された枠組の辺と向かい側の枠組の辺と隣接するその固定位置にピンがある時は、実行不可能である。固定ピンの端部部分を前記穿孔部に挿入するためには、従って、自由なベルト部分は該穿孔部が固定ピンを利用できるまでさらに開口部を通過させる必要がある。この点は、ベルトがその望ましい長さに延ばされるまで利用者の身体の各部に食い込む傾向があるので、利用者にとっては不都合である。
【０００４】
しかしながら、ベルトの閉じた部分の長さは、その代わり、長めに選択可能であるので、前記の不都合は、該ベルトが固定位置で利用者の身体各部廻りに十分に締らない結果に終わって、回避される。
【０００５】
この単純なバックルの変型例は米国特許第 ２，５５４，３６９号およびスイス特許第６８４，６７６号。から知られている。
【０００６】
独国実用新案第２５０，７７４号では、開口部が交差棒によって２つに分割される枠組のバックルが公開されている。ベルトの一端の穿孔部にはまる固定位置で、固定ピンが前記交差棒に垂直に取付けられる一方で、もう１本の固定ピンが他端部分の穿孔部にはまり、これによって上記で指摘された単純バックルの欠点は無くなる。
【０００７】
類似のバックルが独国公開特許第２，１２５，３０１から知られている。この種のバックルの枠組の一端には開口部があり、これにより端部部分を回転させて、これを枠組の中に横方向に押し込んで、ベルトの自由端が枠組に導入されることが可能となる。
【０００８】
前記既知のバックル類に関する共通の問題は、バックルに固定可能になるまでベルトの自由端が枠組内の開口部へと引っ張られなくてはならない点にある。従って、既知のバックル類ではその使用は面倒で時間がかかる。
【０００９】
別の類の接合具が仏国特許第２，３１５，０２７号から知られており、これは１ヶ所あるいは２ヵ所の穿孔された帯の端部を一緒につなぐための締め具に関係する。該締め具は平らな台形部品からなり、この部品には、台形の狭い方の辺の端部に帯の穿孔部を特定の方向に噛み合わせるための留め金が、そして台形の広い方の辺に２本の重なった帯を持つことが可能なU字形の細長溝がある。
【００１０】
しかしながら、この接合には、締め具が平らな部品であるので、２本の極めて薄い帯だけしか留め金とＵ字形細長溝によって締めることができないという問題がある。
【００１１】
これらの既知の接合具についてのもうひとつの問題は、帯の２ヵ所の端部部分はこれらが平行にお互いに重なり合う位置で集合できるだけである点にある。
【００１２】
既知の接合具についてのさらに別の問題は、これらにはすべて正面と背面がある点であり、背面が見えない場合には接合具にある魅力的なデザインは単にあるだけでしかないことが確実である点である。このように、接合具が例えば鞄の革帯を接合するために利用される場合には、バックルの背面が見えて鞄は審美的に満足のあまりいかない外観を呈する。
【００１３】
本発明による第１の側面は、相互に平行な方法にせよ、平行でない方法にせよ、その両様に、少なくとも２本の帯をお互いに取り外し可能なようにお互いに接合するよう合わせられる最初の段落で言及されたタイプの接合具を提供することである。
【００１４】
本発明による第２の側面は取り外し可能なように帯が相互に接合可能になるまでは、帯の部分が貫通する開口部がない最初の段落で言及したタイプの接合具を提供することである。
【００１５】
本発明による第３の側面は構造が単純な最初の段落で言及したタイプの接合具を提供することである。
【００１６】
本発明による第４の側面は、各辺が少なくとも１本の帯に取り外し可能なように接続可能である２つの辺を有する最初の段落で言及したタイプの接合具を提供することにある。
【００１７】
これは、少なくとも１本のピンには、少なくとも１ヶ所の留め金に接続される一ヵ所の茎部と該茎部の先端部にある１ヶ所の頭部が含まれるとともに、少なくとも１本のピンがこれらの接続状態にある帯のぴったり合う穿孔部と噛み合っていて、同時に、少なくとも１ヶ所の留め金が帯の周囲を取り囲み、これによって、該帯が前記の少なくとも１本のピンと前記の少なくとも１ヶ所の留め金によってのみ取り外し可能に相互接続される本発明により達成される。
【００１８】
この単純な構造によって帯は、既知技術におけるように枠組の開口部を通って帯のある長さ部分を最初に通さなくても、協働する穿孔部がお互いにぴったり合う位置で容易かつ迅速に相互にじかに接続可能である。
【００１９】
さらに、該ピンには少なくとも１ヶ所の留め金に接続される茎部と該茎部の端部にある頭部が含まれ、すなわち、該ピンはキノコのような形状をもち、前記ピンは帯の方向とは関係なしに容易で単純な方法で帯の穿孔部に挿入可能であり、これにより、帯は接合具でお互いについて任意の方向に向けられることが可能となる。
【００２０】
さらに、ピンのキノコ状の形状により、該ピンが帯をしっかり保持するだけでなく、これにより該帯は同時に穿孔部の軸廻りに多少回転可能となることもまた確実となる。
【００２１】
ピンは少なくとも１ヵ所の穿孔部の直径より大きな直径であるのが好ましく、これにより、帯は使用中にしっかりと位置を保ち続けることが確実となる。
【００２２】
本発明による接合具は任意の数の帯を、かつ任意の方向に接合して保持するように設計可能であるとともに、茎部の長さは接合される帯の本数、これらの厚み、構造そしてその他この点の関連パラメーターに応じて普通に設計される。
【００２３】
しかしながら、ある事例では、多数の帯を固く接合するとともに、さらに接合具に保持可能である帯の数の変更の可能性を残しておくのが望ましい。
従って、茎部には少なくともひとつの、好ましくは円形をした１ヶ所以上のピンの追加「頭部」として役立つ延長部が含まれるのが都合のよい可能性がある。
これらの延長部は、また、少なくとも１ヵ所の穿孔部の直径より大きいのが有用であり、これにより、たとえ１本の帯が取り除かれても、尚、残っている帯が茎部に沿って前後に滑動することできずに固く接合具に固定されることが確実となる。
【００２４】
本発明による接合具のある実施例では、該接合具には、各辺に少なくとも１本のピンと、少なくとも１本のピンに取付けられる少なくとも１ヶ所の留め金が含まれる第１および第２辺が含まれるのが有利であり得る。これにより、各辺が少なくとも１本の帯を取り外し可能に接合可能であることが確保される。
【００２５】
この実施例には、例えば２本の帯が接合具の各辺に接合される場合に、接合具には２つの「前面」辺があって、接合具に審美的に美しくかつ魅力的なデザインが提供されるという利点がある。
【００２６】
接合具の両方の辺が見える場合には、このような２重接合具は２本以上の帯の接合用に有利に利用可能である。
【００２７】
留め金は、より詳しくは、少なくとも１本のピンに取付けられる少なくとも１ヶ所の第１留め金部、第１留め金部に主として交差状に延びる第２留め金部、および第１留め金部の面と主として平行な面に延びる第３留め金部をもつことが可能で、これにより、第１留め金部はその接合状態で帯の一辺に延び、第２留め金部は帯の縁に交差状に延び、また第３留め金部は帯の第１留め金部の反対側に延びて、これによって留め金部は多くの可能性のある方法で形成可能となる。
【００２８】
ある実施例では、少なくとも１本のピンの軸からの第２留め金部までの距離は、帯の幅のほぼ半分で良く、これにより、第１留め金品は帯の縁に垂直に延びる。
【００２９】
別の実施例では、少なくとも１本のピンの軸からの第２留め金部までの距離は、帯の幅の半分より大きくでき、これにより、第１留め金部は帯の縁とある角度をなす。
【００３０】
第１と第３の留め金部はさらにお互いに角度をなすことが可能である。
【００３１】
この角度は０度でも良く、これによって第１と第３の留め金部はお互いに平行に延びる。
【００３２】
該角度が、反対に、０度より大きい場合には、第１と第３の留め金部はお互いに平行でない方向に延びる。この場合には、第１留め金部が帯の縁にほぼ垂直に延びる時に、帯と接合状態にある第３部分は帯の縁とある角度をなすことが可能である。
【００３３】
他方で、第１留め金部が帯の縁とある角度をなすとともに、十分な長さがある場合には、第３留め金部は、それが帯の縁から自由となる位置までピンの軸廻りに回転可能である。この位置では、ピンが、例えば別の帯とまだ噛み合っている場合に、例えば、ある帯が有利に接合可能であり、また分離可能である。
【００３４】
該接合具は単純な実施例で２ヶ所の留め金をもつことが可能であり、そのそれぞれはピンの各辺上で延びる。
【００３５】
第３実施例では、接合具はその第１留め金部が相互に６０度の角度をなすように設けられる３ヶ所の留め金をもつことが可能で、これにより、例えば２本の帯がお互いに平行である方向にも、またお互いに６０度の角度をなす方向にも、両方向に相互に接合可能となる。
【００３６】
第４実施例では、接合具はその第１留め金部が相互に９０度の角度をなすように設けられる４ヶ所の留め金をもつことが可能で、これにより、例えば２本の帯がお互いに平行である方向にも、お互いに９０度の角度をなす方向にも、両方向に相互に接合可能となる。
【００３７】
技術に熟練した人なら帯間の角度は留め金の数と位置に応じて保護の範囲内で任意に選択可能であると理解しよう。
【００３８】
他の実施例では、４ヶ所の留め金のそれぞれにはそれ自体のピンがある。この実施例では、帯にはピンに関するたった１列だけの代わりに２列の穿孔部があっても良い。このような接合具は単純なピンだけに限定されず、任意の数のピンが利用可能となる。さらに、複数のピンのおかげで、少なくとも１本のピンの軸から第２留め金部までの距離は、帯の幅の半分より短くできる。
【００３９】
本発明による二重接合具のある実施例では、２本の帯は２本のピンと各辺に取付けられる２ヶ所の留め金部がある第１留め金部の各面で接合可能であり、これにより、２ヶ所の第３留め金部が第２留め金部の各々に取付けられる。
【００４０】
二重接合具の各辺は同様にして１ヶ所以上の留め金がありえる。例えば、もし、２本の対向するピンが少なくとも１ヶ所以上の第１留め金部の真ん中で各辺に取付けられる場合、第２および第３留め金部は、その後、接合具のいずれの辺にも選択して位置されることが可能である。
【００４１】
例えば、接合具の第１および第２辺は、お互いに逆になった、あるいはお互いに異なる映像でありえると言える。
【００４２】
ピンと留め金はお互いに恒常的に接続可能である。
【００４３】
別の実施例では、ピンと留め金は接合具を１本以上の帯と恒常的に接合するためのネジくぎ継手によってお互いに取り外し可能に接合可能である。
【発明の詳細な説明】
【００４４】
本発明による接合具は、金属、ゴム、プラスチックあるいは皮といった任意の適当な材料の２本以上の帯を接合するよう合わされ、これによって帯という用語はまた１本の密着した帯の２ヵ所の端部部分も意味する。
【００４５】
以下の接合具の例は、真鍮製であり、革の腰ベルトの２ヵ所の端部部分を接続するために利用されるという想定に基づいている。しかしながら、本発明による接合具は、例えば金属、プラスチック、あるいはセラミックの任意の適切な材料で製作可能である。
【００４６】
図１には、腰ベルト３の２ヵ所の端部部分２ａ、２ｂを穿孔部４で接合するのに利用される本発明による接合具１が示される。該接合具は実線で示される一方で、腰ベルトは点線で示されている。
【００４７】
該接合具には主に、三角形の頂点に取付けられたピン６が付いた二等辺三角形の第１留め金部５がある。
【００４８】
図１に見られるように、ピン６には少なくとも１ヶ所の留め金５に接続される茎部６ａと該茎部の端部の頭部６ｂが含まれる。該頭部６ｂは穿孔部４の直径より少し大きな直径をもつ。これにより、各ベルト端部部分２ａ、２ｂがピン６にしっかりと接合可能となるだけでなく、同時に、これらはまた腰ベルトの穿孔部の廻りに多少回転することが可能となり、これによって損耗を減らす。
【００４９】
ピンの軸から前記頂点と反対側の三角形の第３辺までの距離は、ベルト幅の最低半分である。前記第３辺の法線はベルトの一縁７にほぼ直角に延びる。
【００５０】
該三角形の第３辺で、第１留め金部は第２留め金部８と一体となり、この部分が交差して縁まで延びるとともに、第２留め金部のすべての辺に関して第１留め金部とほぼ平行に延びる長くなったプレート部品の形状の第３留め金部９と一体となる。
【００５１】
２ヵ所のベルト部分２ａ、２ｂは、接合される時、まず、１端部分の１穿孔部とぴったり合っているある他端部分の１穿孔部とが相互に重なっている位置に押し込まれる。利用される穿孔部は腰ベルトが利用者の腰廻りに心地よくぴったりするように選択される。
【００５２】
２ヵ所のベルト部分２ａ、２ｂの接合は、その後、ピンをぴったり合った穿孔部４に挿入してから、腰ベルト３の２ヶ所の重複する端部部分２ａ、２ｂを第１および第３留め金部５、８間で横方向に案内することによって行われる。
【００５３】
図２には腰ベルト３に取付けられる本発明による接合具１０の別の実施例が示めされる。接合具は実線で示される一方、腰ベルトは点線で示されている。
【００５４】
この場合の接合具には、長方形１３と一体となる等辺三角形１２からなる第１留め金部１１がある。
【００５５】
三角形の頂点と向かい合う辺の法線は穿孔部４の列に沿って延びて、一方で、長方形部はこれが第２留め金部１４に一体となる腰ベルトの縁まで延びるか、あるいは、これを少し越えて延びて、この第２留め金部は前記縁を横断して延びるとともに、この場合には、腰ベルト３の縁７に垂直に延びる第３留め金部１５と一体となる。
【００５６】
茎部６ａと頭部６ｂ付きのピン６が三角形の頂点に取付けられる。図２から明らかなように、茎部６ａには延長部６ｃがある。前記延長部により、２ヶ所のベルト部分２ａ、２ｂをお互いに少しの距離だけ離し、例えば第１ベルト部分２ａが第２ベルト部分２ｂに影響することなく、接合具１０から除去あるいは中で回転可能になることが許され、また、第２ベルト部分２ｂが、茎部６ａに沿って前後に滑動可能となることなく、接合具にしっかり取付けられ続けることが可能となる。
【００５７】
接合具１０は第１実施例の接合具と同様に腰ベルトに取付けられる。
【００５８】
図３と図４には、腰ベルト３上に取付けられた本発明による接合具１６の第３実施例が示される。接合具は実線で示され、一方、腰ベルトは点線で示されている。
【００５９】
この接合具には第２留め金部１８と一体となる第１留め金部１７があり、第２留め金部１８は第３留め金部１９と一体となる。茎部２０ａと頭部２０ｂのあるピン２０が第１留め金部に取付けられる。ピンから第２留め金部までの距離は腰ベルト３の幅の半分よりも長く、第３留め金部１７および１９がさらにお互いに角度をなしている。
【００６０】
ピン２０から第２留め金１８までの距離は腰ベルト幅の半分よりも長いので、第２留め金部１９が腰ベルト３の縁７から自由である図３に示される位置と、第２留め金部１９がベルトの２ヵ所の端部部分２ａ、２ｂを越えて延びる図４に示される位置との間で、接合具１６を回転させることが可能である。
【００６１】
接合具は第１および第２実施例と同様な方法で腰ベルトに取付け可能であるが、図３に示される位置でまずピン２０を２ヶ所のベルト端部部分２ａ、２ｂの穿孔部４に挿入してから、接合具を図４に示される取付け位置まで回転させる方法が有利である。
【００６２】
図５および図６には腰ベルト３に取付けられる本発明による接合具２１の第４実施例が示されている。接合具は一部実線で、一部点線で示され、一方、腰ベルト３は実線で示されている。
【００６３】
この接合具は図３および図４に示される接合具１６の第３実施例の二重版であるとともに、これには端部で第３留め金部２４のそれぞれと一体となる第２留め金部２３と一体となる第１留め金部２２がある。
【００６４】
ピン２５は第１留め金部の真ん中に取付けられ、腰ベルトの幅より長い長さがある。
【００６５】
第１留め金部２２の長さは腰ベルト３の幅より長いので、２ヵ所の第２留め金部２３が腰ベルトの縁７から自由である図５に示される位置と、２ヶ所の第２留め金部２３が２ヶ所のベルト端部部分２ａ、２ｂを越えて延びている図６に示される位置の間で接合具２１を回転させることが可能である。
【００６６】
接合具２１はまずピン２５の頭部２５ｂを２ヵ所のベルト端部部分２ａ、２ｂの穿孔部４を通って、ベルト部分がピン２５の茎部２５ａに位置するまで押すことによって、図５に示される位置で腰ベルト３に取付けられる。その後、接合具は図６に示される取付け位置まで回転させられる。第３留め金部２４の端部部分は、取付け位置で接合具を安全に保つために少しだけ曲げられる。
【００６７】
図７には本発明による接合具の第５実施例が示される。接合具は一部実線で、一部点線で示され、一方、腰ベルト３は実線で示されている。
【００６８】
この場合に、接合具２６には、お互いに、かつ、接合具の取付け位置で腰ベルト３の穿孔部４の列とも９０度の角度をなす２ヵ所の第１留め金部２７がある。
【００６９】
第１留め金部分には腰ベルトの幅より長い長さがあるとともに、これはその一縁から他縁まで延びる。両第１留め金部２７は両端部で第２留め金部２８と一体となり、これらのすべては第３留め金部２９のそれぞれと一体となる。ピン３０は２ヵ所の第１留め金部の真ん中に取付けられる。
【００７０】
第１および第２留め金部２７および２８は、この場合、比較的小さい径の、２ヶ所の留め金部が相互に一体となる位置で９０度曲げられた丸棒で作られる。第３留め金部２９は円盤の中央領域で第２留め金部２８の端部に取り付けられる円盤状の形状をなしている。
【００７１】
接合具２６は、接合具のピン３０を腰ベルト３の２ヵ所のぴったり合う穿孔部４に挿入するとともに、第３留め金部２９の下部にある２ヶ所のベルト端部部分２ａ、２ｂの縁７を押して腰ベルト３上に取付けられる。
【００７２】
本発明によるこの接合部構造によって、２ヵ所のベルト端部部分２ａ、２ｂは図７に示されるようにお互いに交差するか、あるいはお互いに平行に（図示されず）接合が可能である。
【００７３】
図８には本発明による接合具の第６実施例の断面が示されている。この接合具３１は図１に示される接合具と同じであるが、横方向に逆になった二重版のものである。同一部品に関しては、図１で使用された同一参照番号が用いられている。
【００７４】
接合具３１には２ヵ所の第２留め金部８と一体となる第１留め金部５があり、これらは各第３留め金部９と一体となる。２本の向かい合うピン６は第１留め金部５の各辺に取付けられる。
【００７５】
接合具３１は、第１実施例と同様の方法ながら、第１留め金部５の各辺にあるベルト端部部分２ａ、２ｂ上で腰ベルトに取付けられる。
【００７６】
図９には本発明による接合具の第７実施例の透視図が示されている。この接合具３６は図７に示される接合具２６に対応するが、１本の中央ピン３０の代わりに、４ヶ所の第１留め金部２７のそれぞれにピン３７で取付けられる。同一の部品に関しては図７に使用されているものと同一の参照番号が使用されている。この実施例では、少なくとも１本のピンの軸から第２留め金部までの距離は帯幅の半分より短くできる。
【００７７】
上記の本発明の実施例の第３留め金部は、比較的広い面を持つ形状となっており、これにより接合具は腰ベルトの装飾として利用される。
【００７８】
本発明の範囲内では、ピンは外側から穿孔部に挿入されることも可能であり、これにより、腰ベルトの外側から見えるのは主として第１留め金部である。図１０には、腰ベルト３に取付けられた本発明による接合具３８の第８実施例が示されている。接合具は一部実線、一部点線で示され、一方で、腰ベルト３は実線で示されている。
【００７９】
この場合、接合具３８は、相互に９０度の角度をなすと同時に、接合具の取付け位置に腰ベルト３の穿孔部４の列のある２ヶ所の第１留め金部３９
がある二重接合具である。
【００８０】
第１留め金部は腰ベルトの幅より長さが長く、片端から他端へと延びる。２本の対向するピン６は２ヵ所の第１留め金部の中間で各辺に取付けられる。
【００８１】
第１留め金部３９の両端３９'は第２留め金部４０'となって一体となり、その両方とも接合具の第１辺上で延びる第３留め金部継手４１'となって一体となる。残る２ヶ所の端部３９”も接合具の第２辺上に延びる第３留め金部品部継手４１”と再度一体となる第２留め金部４０”と一体となる。
【００８２】
上記の本発明の実施例の第３留め金部は、２つの「正面」辺が接合具に設けられる接合具の各辺上に配置されて、接合具の各辺が審美的に美しく、魅力的なデザインになることを確保する。
【００８３】
接合具３８は腰ベルト上で接合具の第１実施例と同様の方法で、第１留め金部３９の各辺上にベルト端部部分２ａ、２ｂに取付けられる。
【００８４】
この本発明による接合具の構造によって、２ヵ所のベルト端部部分２ａ、２ｂは、図１０に示されるように相互に平行か、あるいはベルトの一端部分が第１ベルト端部部分と交差して第３留め金部の１ヶ所の下部に位置して相互に交差する（図示されず）かのどちらかで接合可能である。
【００８５】
図１１には腰ベルト３に取付けられる本発明による接合具４２の第９実施例が示されている。該接合具は一部実線で、一部点線で示され、一方、腰ベルトは実線で示されている。
【００８６】
また、このケースでは、接合具４２は相互に９０度の角度をなすとともに、該接合具の取付け位置に腰ベルト３の穿孔部４の列がある２ヵ所の第１留め金部４３がある２重接合具である。
【００８７】
第１留め金部は腰ベルトの幅より長い長さがあり、この片縁から他縁まで延びる。２本の対向するピン６は２ヵ所の第１留め金部の真ん中で各辺に取付けられる。
【００８８】
第１留め金部４３の各端部はその各辺に取付けられる２ヵ所の第２留め金部４４と一体となる。図１１から見て取れるように、接合具４２の第１辺上の第２留め金部４４'は２ヶ所の平行な第３留め金部４５'と一体となるのに対し、接合具４２の第２辺上にある第２留め金部４４”は、第１辺上にある第３留め金部に垂直に配置される２ヵ所の他方の平行な第３留め金部４５”と一体となる。
【００８９】
接合具４２は、図１０に示される実施例と同様な方法で、第１留め金部４３の各辺上にあるベルト端部部分２ａ、２ｂに腰ベルト上で取付けられる。
【００９０】
本発明による接合具のこの構造によって、２ヶ所のベルト端部部分２ａ、２ｂは図１１に示されるように相互に交差するか、あるいは、１ヵ所のベルト端部部分が２ヵ所の第３留め金部の下部に配置される相互に平行かどちらかで（図示されず）接続可能である。図１２には、前記接合具の第１留め金部１７とともに、図３および図４に示される第４実施例の接合具１６のピン２０を取り外し可能に取付けるための、ネジくぎ継手３３のある接合具１６の一断片の分解図が示される。
【００９１】
ネジくぎ継手３３は第１留め金部１７に固定されるネジくぎ３４とピン２０のような形状のナット３５からなる。ベルト端部部分２ａ、２ｂの１ヵ所はこのネジくぎ継手によって恒久的に接合具に固定可能である一方、もう１ヵ所は取り外し可能にピンに接合可能であり、これによって該接合具は、図３に示される位置で、腰ベルトの脱着だけでなく、図４に示される取付け位置までの回転用にも使用可能であるバックルとして有利に利用可能である。
【００９２】
このタイプのネジくぎ継手は、また、本発明による接合具の他の実施例に関してピンを取り外し可能に取付けるためにも有利に使用可能である。
【００９３】
図１から図１１までで理解できるように、ピン６は穿孔部４の直径より少し大き目の頭部６ｂをもった形状をしており、茎部６ａはこれによって、これらが腰ベルト３の穿孔部５廻りに多少回転が可能となると同時に、各ベルト端部部分２ａ、２ｂがピン６にしっかりと接合可能であるようになる。該茎部にはさらに、茎部を取り囲むとともに１ヵ所以上のピンの追加「頭部」として役立つ１ヵ所の延長部６ｃが含まれる。この円形延長部はまた、少なくとも１ヶ所の穿孔部４の直径よりも大きな直径をもち、たとえ、１本の帯を外しても、残りの帯はなお固く接合具に固定されることが確保される。
【図面の簡単な説明】
【００９４】
本発明はさらに詳しく有利な特性や実施例が図面を参照して記述される以下の通り、より詳しく説明されるだろう。すなわち、
【図１】本発明による接合具のある実施例の透視図を示す。
【図２】本発明による接合具の別の実施例の透視図を示す。
【図３】解放位置における本発明による接合具の第３実施例の透視図を示す。
【図４】閉じた位置での同様な図を示す。
【図５】解放位置における本発明による接合具の第４実施例の透視図を示す。
【図６】閉じた位置での同様な図を示す。
【図７】本発明による接合具の第５実施例の透視図を示す。
【図８】二重版の図１に示される接合具の拡大した縮尺での断面図を示す。
【図９】本発明による接合具の第７実施例の透視図を示す。
【図１０】本発明による接合具の第８実施例の透視図を示す。
【図１１】本発明による接合具の第９実施例の透視図を示す。
【図１２】ネジくぎ接合具の分解詳細の側面図を拡大した縮尺で示す。
【図１】
2007506476.tif 000003
【図２】
2007506476.tif 000004
【図３】
2007506476.tif 000005
【図４】
2007506476.tif 000006
【図５】
2007506476.tif 000007
【図６】
2007506476.tif 000008
【図７】
2007506476.tif 000009
【図８】
2007506476.tif 000010
【図９】
2007506476.tif 000011
【図１０】
2007506476.tif 000012
【図１１】
2007506476.tif 000013
【図１２】
2007506476.tif 000014
【国際調査報告】
2007506476.tif 000015
2007506476.tif 000016